(57)【特許請求の範囲】
【請求項１】
再生ＲＦ信号を入力としそのピーク値を検波して出力する第１のピーク検波回路と、
前記再生ＲＦ信号を入力としそのボトム値を検波して出力する第１のボトム検波回路と、
前記第１のピーク検波回路の出力と前記第１のボトム検波回路の出力を入力しこれらを引き算した値を出力する引算器と、
前記引算器の出力を入力しそのピーク値を検波して出力する第２のピーク検波回路と、
前記引算器の出力を入力しそのボトム値を検波して出力する第２のボトム検波回路と、
前記第２のピーク検波回路の出力と前記第２のボトム検波回路の出力を入力し該二つの入力の中間電圧値を出力する中間電圧点作成回路と、
前記中間電圧点作成回路の出力電圧と、予め定められた第１の基準電圧とを入力とし、電圧値の高い方を選択して出力するコンパレータ入力電圧選択回路と、
前記引算器の出力と前記コンパレータ入力電圧選択回路の出力との大小を比較し、ミラー信号を出力するコンパレータと、
を備えている、ことを特徴とするミラー検出回路。
【請求項２】
前記コンパレータ入力電圧選択回路に入力される前記第１の基準電圧は、前記再生ＲＦ信号が無信号時の前記第２のピーク検波回路の出力電圧以上とされている、ことを特徴とする請求項１記載のミラー検出回路。
【請求項３】
前記引算器の出力には、予め定められた第２の基準電圧が重畳され、
前記コンパレータ入力電圧選択回路に入力される前記第１の基準電圧が、前記第２の基準電圧よりも、所定電圧分、高い電圧値に設定されている、ことを特徴とする請求項１記載のミラー検出回路。
【請求項４】
再生ＲＦ信号を入力としそのピーク値を検波して出力する第１のピーク検波回路と、
前記再生ＲＦ信号を入力としそのボトム値を検波して出力する第１のボトム検波回路と、
前記第１のピーク検波回路の出力と前記第１のボトム検波回路の出力を入力しこれらを引き算した値を出力する引算器と、を備え、
前記引算器の出力には予め定められた第２の基準電圧が重畳され、
前記引算器の出力を入力しそのピーク値を検波して出力する第２のピーク検波回路と、
前記第２のピーク検波回路の出力と前記第２の基準電圧を入力し中間電圧値を生成出力する中間電圧点作成回路と、
前記中間電圧点作成回路の出力と、予め定められた第１の基準電圧とを入力とし、電圧値が高い方を選択して出力するコンパレータ入力電圧選択回路と、
前記引算器の出力と前記コンパレータ入力電圧選択回路の出力との大小を比較し、ミラー信号を出力するコンパレータと、
を備えている、ことを特徴とするミラー検出回路。
【請求項５】
前記コンパレータ入力電圧選択回路に入力される前記第１の基準電圧が、前記第２の基準電圧よりも、所定電圧分高い電圧値に設定されている、ことを特徴とする請求項４記載のミラー検出回路。
【請求項６】
前記第２の基準電圧の入力端と前記引算器の同相入力端間に接続されている第１の抵抗と、
前記第１のピーク検波回路の出力端と前記引算器の同相入力端間に接続されている第２の抵抗と、
前記第１のボトム検波回路の出力端と前記引算器の逆相入力端間に接続されている第３の抵抗と、
前記引算器の逆相入力端と前記引算器の出力端間に接続されている第４の抵抗とを備えている、ことを特徴とする請求項３又は４記載のミラー検出回路。
【請求項７】
前記コンパレータ入力電圧選択回路が、
定電流源で駆動され、前記中間電圧点作成回路の出力電圧と前記第１の基準電圧とを差動入力とする差動トランジスタ対と、
前記差動トランジスタ対の出力対の共通接続点を入力端に接続し、出力端を前記コンパレータ入力電圧選択回路の出力端子に接続したカレントミラー回路と、
前記コンパレータ入力電圧選択回路の前記出力端子と、前記差動トランジスタ対と前記定電流源との接続点との間に挿入され、ダイオード接続されたトランジスタと、を備えたことを特徴とする請求項１又は４記載のミラー検出回路。
【請求項８】
前記コンパレータ入力電圧選択回路が、
前記中間電圧点作成回路の出力電圧と前記第１の基準電圧とを入力とする比較器と、
前記中間電圧点作成回路の出力端と前記コンパレータ入力電圧選択回路の出力端子間に挿入された第１のスイッチと、
前記第１の基準電圧の入力端と前記コンパレータ入力電圧選択回路の前記出力端子間に挿入された第２のスイッチと、
前記比較器の出力に基づき、前記中間電圧点作成回路の出力電圧が前記第１の基準電圧よりも大の場合、前記第１のスイッチをオンし、前記第２のスイッチをオフし、
前記中間電圧点作成回路の出力電圧が前記第１の基準電圧以下の場合、前記第２のスイッチをオンし、前記第１のスイッチはオフする、ことを特徴とする請求項１又は４記載のミラー検出回路。
【請求項９】
光ビームを用いて情報を再生する情報再生装置であって、前記光ビームの焦点位置と、記録媒体上に前記情報により形成されている情報トラックの位置と、を一致させるためのトラッキングサーボループが開状態になっているときに、前記光ビームの前記記録媒体からの反射光に基づいて生成される前記情報に対応する再生ＲＦ信号を入力し、前記焦点位置が前記情報トラック上にあるか否かを示すミラー信号を検出するミラー検出回路として、請求項１乃至８のいずれか一に記載のミラー検出回路を備えたことを特徴とする情報再生装置。
【発明の詳細な説明】
【０００１】
【発明の属する技術分野】
本発明は、光ディスク等のディスク状記録媒体上に記録された情報の再生にあたり、複数の情報トラックを跨いで光スポットを移動させた後に、トラッキングサーボループを閉状態とするタイミングを示すミラー信号を生成するミラー検出回路に関する。
【０００２】
【従来の技術】
ＣＤ（コンパクトディスク）等の光ディスク装置では、光ピックアップの位置制御信号として、ミラー部を検出して、位置制御を行っている。すなわち、光ディスク等の記録媒体を光学的に再生する場合、再生に用いられる光ビームの焦点位置を当該情報により記録媒体上に形成される情報トラックの位置に一致させるためのトラッキングサーボ制御と、焦点位置とディスクにおける情報記録面の位置とを一致させるフォーカスサーボ制御が行われており、情報再生時に、所望する情報が記録されているディスク上の位置に、複数の情報トラックをまたいで焦点位置を移動させるトラッキングジャンプ動作が行われる。このトラッキングジャンプ動作において、トラッキングサーボループを開状態とするとともに、所望の情報トラック上に焦点位置が位置したタイミングで当該トラッキングサーボループを閉状態に切り替え、トラッキングサーボ制御が再開される。トラッキングジャンプ動作等を行っているときに検出される再生ＲＦ（Radio  Frequency）信号（光ビームのディスクからの反射光に基づいて検出される再生すべき情報に対応した再生信号）に基づいて、当該光ビームの焦点位置が情報トラック上にあるとき、Ｌｏｗ、情報トラック以外の領域（隣接する情報トラックに挟まれた領域）にあるときＨｉｇｈレベルとなるミラー信号を、ミラー信号生成回路で生成し、このミラー信号を用いて、焦点位置と情報トラックの位置との関係を把握してトラッキングサーボループの閉状態の切替えが行われている（例えば特開平１１−１６１９６７号公報等参照）。
【０００３】
従来の光ディスク装置におけるミラー検出回路（ミラー信号生成回路）の一例として、図８にブロック図として示すような構成が知られている。ミラー検出回路へ入力される再生信号（ＲＦ信号）ＲＦＩＮは、通常、図９の（Ａ）に示すような波形となり、第１ピーク検波回路１と、第１ボトム検波回路２へ入力される。
【０００４】
第１ピーク検波回路１の検波時定数は、出力がＤＣ（直流）となるようなかなり遅い値であり、第１ボトム検波回路２の検波時定数は、光ディスクの回転周期のエンベロープに追従できる程度の値である。
【０００５】
第１ピーク検波回路１の出力ピーク値Ｓ１は、図９の（Ｂ）に示す波形となり、引算器７の同相入力端に接続され、第１ボトム検波回路２の出力ボトム値Ｓ２は、図９の（Ｃ）に示す波形となり、引算器７の逆相入力端に接続される。
【０００６】
引算器７の出力Ｓ３は、図９の（Ｄ）に示す波形となり、第２ピーク検波回路８と第２ボトム検波回路９へ入力される。
【０００７】
第２ピーク検波回路８の出力ピーク値Ｓ４は、図９の（Ｅ）に示す波形となり、第２ボトム検波回路９の出力ボトム値Ｓ５は、図９の（Ｆ）に示す波形となる。
【０００８】
出力値Ｓ４、Ｓ５は、中間電圧点作成回路１０へ入力され、その出力Ｓ６は、図９の（Ｇ）に示す波形となる。
【０００９】
引算器７の出力Ｓ３と中間電圧点作成回路１０の出力Ｓ６はコンパレータ１２に入力され、コンパレータ１２の出力Ｓ８は、図９の（Ｈ）に示す波形のミラー信号となる。
【００１０】
【発明が解決しようとする課題】
しかしながら、図８を参照して説明した従来のミラー検出回路においては、ミラー部を正しく検出することができない場合がある、という問題点を有している。すなわち、上記した従来のミラー検出回路においては、ＲＦ信号の無信号時（ＲＦ信号が無くなり入力ＲＦＩＮの振幅がほぼ０になった状態）、ＲＦ信号に対して、通常無視できるレベルであったノイズ信号が、ＲＦＩＮの振幅の大部分を占めることになり、コンパレータ１２の出力であるミラー信号Ｓ８は、ノイズ信号振幅の中間電圧点で比較を行うため、ミラー部ではない部分をミラー部と誤検出してしまうことになる。
【００１１】
したがって本発明は、上記問題点に鑑みてなされたものであって、その目的は、入力されるＲＦ信号の振幅が小さくなった場合に、ミラー部ではない部分をミラー部と誤検出することを回避しミラー信号を正しく生成するミラー検出回路及び該ミラー検出回路を備えた情報再生装置を提供することにある。
【００１２】
【課題を解決するための手段】
前記目的を達成する本発明は、再生ＲＦ信号を入力としそのピーク値を検波して出力する第１のピーク検波回路と、前記再生ＲＦ信号を入力としそのボトム値を検波して出力する第１のボトム検波回路と、前記第１のピーク検波回路の出力と前記第１のボトム検波回路の出力を入力しこれらを引き算した値を出力する引算器と、前記引算器の出力を入力しそのピーク値を検波して出力する第２のピーク検波回路と、前記引算器の出力を入力しそのボトム値を検波して出力する第２のボトム検波回路と、前記第２のピーク検波回路の出力と前記第２のボトム検波回路の出力を入力し該二つの入力の中間電圧値を出力する中間電圧点作成回路と、前記中間電圧点作成回路の出力電圧と、予め定められた第１の基準電圧とを入力とし、電圧値の高い方を選択して出力するコンパレータ入力電圧選択回路と、前記引算器の出力と前記コンパレータ入力電圧選択回路の出力との大小を比較し、ミラー信号を出力するコンパレータと、を備えている。
【００１３】
【発明の実施の形態】
本発明の実施の形態について説明する。図１は、本発明に係るミラー検出回路の一実施の形態の構成を示す図である。図１を参照すると、図８に示した従来の回路構成と比較して、中間電圧点作成回路１０と、コンパレータ１２との間に、中間電圧点作成回路１０の出力Ｓ６と、基準電圧バイアスＶ１の値ＤＣ１のうち高い値を出力してコンパレータ１２に比較電圧として供給するコンパレータ入力電圧選択回路１１を備えており、このため、入力ＲＦ信号の振幅が小さくなった場合の誤検出を無くし、安定したミラー信号を作成できる。本発明に係るミラー検出回路は、光ビームを用いて情報を再生する情報再生装置に設けられ、光ビームの焦点位置と記録媒体上に前記情報により形成されている情報トラックの位置と、を一致させるためのトラッキングサーボループが開状態になっているときに、前記光ビームの前記記録媒体からの反射光に基づいて生成される前記情報に対応する再生ＲＦ信号を入力し、焦点位置が情報トラック上にあるか否かを示すミラー信号を検出する。
【００１４】
本発明は、好ましい一実施の形態において、再生ＲＦ信号を入力としそのピーク値を検波して出力する第１のピーク検波回路（１）と、再生ＲＦ信号を入力としそのボトム値を検波して出力する第１のボトム検波回路（２）と、第１のピーク検波回路の出力と第１のボトム検波回路の出力を入力しこれらを引き算した値を出力する引算器（７）と、引算器の出力を入力しそのピーク値を検波して出力する第２のピーク検波回路（８）と、引算器の出力を入力しそのボトム値を検波して出力する第２のボトム検波回路（９）と、第２のピーク検波回路の出力と第２のボトム検波回路の出力を入力し該二つの入力の中間電圧値を出力する中間電圧点作成回路（１０）と、中間電圧点作成回路の出力電圧と、予め定められた第１の基準電圧（ＤＣ１）とを入力とし、電圧値の高い方を選択して出力するコンパレータ入力電圧選択回路（１１）と、引算器（７）の出力とコンパレータ入力電圧選択回路（１１）の出力との大小を比較し、ミラー信号を出力するコンパレータ（１２）と、を備え、コンパレータ（１２）からは、ミラー部であるときＨｉｇｈレベルの信号が出力される。
【００１５】
本発明は、別の実施の形態において、引算器（７）の出力には、予め定められた第２の基準電圧（ＤＣ２）が重畳され、コンパレータ入力電圧選択回路（１１）に入力される第１の基準電圧（ＤＣ１）が、第２の基準電圧（ＤＣ２）よりも、所定電圧分、高い電圧値に設定されている。
【００１６】
本発明は、別の実施の形態において、再生ＲＦ信号を入力としそのピーク値を検波して出力する第１のピーク検波回路（１）と、再生ＲＦ信号を入力としそのボトム値を検波して出力する第１のボトム検波回路（２）と、第１のピーク検波回路の出力と第１のボトム検波回路の出力を入力しこれらを引き算した値を出力する引算器（７）と、を備えており、引算器（７）の出力には予め定められた第２の基準電圧（ＤＣ２）が重畳され、引算器（７）の出力を入力しそのピーク値を検波して出力する第２のピーク検波回路（８）と、第２のピーク検波回路の出力と第２の基準電圧を入力し中間電圧値を生成出力する中間電圧点作成回路（１０）と、中間電圧点作成回路の出力と、予め定められた第１の基準電圧（ＤＣ１）とを入力とし、電圧値が高い方を選択して出力するコンパレータ入力電圧選択回路（１１）と、引算器の出力をコンパレータ入力電圧選択回路の出力との大小を比較し、ミラー信号を出力するコンパレータ（１２）と、を備えている。
【００１７】
【実施例】
上記した本発明の実施の形態についてさらに詳細に説明するため、本発明の実施例について図面を参照して以下に説明する。図１は、本発明の一実施例のミラー検出回路の構成を示す図である。図１を参照すると、ミラー検出回路は、第１ピーク検波回路１と、第１ボトム検波回路２と、抵抗３、４、５、６と、引算器７と、第２ピーク検波回路８と、第２ボトム検波回路９と、中間電圧点作成回路１０と、コンパレータ入力電圧選択回路１１と、コンパレータ１２とを備えて構成されている。
【００１８】
第１ピーク検波回路１は、ＲＦ信号ＲＦＩＮを入力とし、ピーク値を検波して出力する（Ｓ１）。
【００１９】
第１ボトム検波回路２は、ＲＦ信号ＲＦＩＮを入力とし、ボトム値を検波して出力する（Ｓ２）。
【００２０】
抵抗３は、基準電圧バイアスＶ２と引算器７の同相入力端間に接続されており、抵抗４は、第１ピーク検波回路１の出力Ｓ１と引算器７の同相入力端間に接続されており、抵抗５は、第１ボトム検波回路２の出力Ｓ２と引算器７の逆相入力端間に接続されており、抵抗６は、引算器７の逆相入力端と引算器７の出力端間に接続されている。
【００２１】
第２ピーク検波回路８は、引算器７の出力Ｓ３を入力とし、ピーク値を検波して出力する（Ｓ４）。
【００２２】
第２ボトム検波回路９は、引算器７のボトム値を検波して出力する（Ｓ５）。
【００２３】
中間電圧点作成回路１０は、第２ピーク検波回路８の出力Ｓ４と第２ボトム検波回路９の出力Ｓ５を入力とし、中間電圧値を出力する（Ｓ６）。
【００２４】
コンパレータ入力電圧選択回路１１は、中間電圧点作成回路１０の出力Ｓ６と、基準バイアス値ＤＣ１を持つ電圧バイアスＶ１を入力とし、高い値を選択して出力する（Ｓ７）。
【００２５】
コンパレータ１２は、コンパレータ入力電圧選択回路１１の出力Ｓ７をコンパレート点として、引算器７の出力Ｓ３をコンパレートする。
【００２６】
次に、本実施例の動作について説明する。図５は、図１のミラー検出回路に通常のＲＦ信号を入力したときの出力信号波形を示す図である。以下、回路構成については図１を参照し、その各々の出力での信号波形は図５を参照して説明を行う。
【００２７】
まず、光ディスクに記録されている情報データを、光ピックアップにて読み取り、ＲＦアンプ内のＲＦアンプ、ＡＧＣ（自動利得制御）アンプ（光ディスク、光ピックアップ、ＲＦアンプは、図示されない）を経て生成された再生信号であるＲＦ信号ＲＦＩＮは、第１ピーク検波回路１と、第１ボトム検波回路２に、それぞれ供給される。
【００２８】
ＲＦＩＮの信号は、図５の（Ａ）に示すような波形となる（図９（Ａ）と同じ入力信号としている）。
【００２９】
第１ピーク検波回路１の時定数は、出力がＤＣ（直流）となるようなかなり遅い値に設定し、第１ボトム検波回路２の時定数は、エンベロープに追従できる程度の値に設定する。第１ピーク検波回路の出力Ｓ１と第１ボトム検波回路の出力Ｓ２は、それぞれ、図５の（Ｂ）、（Ｃ）に示すような波形となる。
【００３０】
第１ピーク検波回路の出力Ｓ１は、抵抗４を介して、引算器７の同相入力端に接続され、第１ボトム検波回路の出力Ｓ２は、抵抗５を通して、引算器７の逆相入力端に接続される。また、ＤＣ２の基準電圧値を持つ電圧バイアスＶ２は、抵抗３を介して、引算器７の同相入力端に接続される。そして引算器７の出力Ｓ３は、抵抗６を介して引算器７の逆相入力端に接続され帰還回路を構成し、さらに引算器７の出力Ｓ３は、コンパレータ１２の同相入力端に接続される。
【００３１】
引算器７の出力Ｓ３は、図５の（Ｄ）に示すような波形となる。この構成では、抵抗３、４、５、６をすべて同じ抵抗値としているが、この抵抗を可変抵抗にすることで、引算器７の出力Ｓ３のゲインを調整するようにしてもよい。
【００３２】
また、引算器７の出力Ｓ３は、第２ピーク検波回路８と第２ボトム検波回路９にそれぞれ供給される。第２ピーク検波回路８と第２ボトム検波回路９のそれぞれの検波時定数は、出力がＤＣ（直流）となるような遅い値に設定する。各々の検波回路８、９の出力Ｓ４、Ｓ５は、それぞれ、図５の（Ｅ）、（Ｆ）に示す波形となり、中間電圧点作成回路１０に入力される。
【００３３】
図２は、中間電圧点作成回路１０の回路構成の一例を示す図である。入力Ｓ４を抵抗値Ｒの抵抗３１を介してバッファ３３の同相入力端に接続し、入力Ｓ５を抵抗値Ｒの抵抗３２を介してバッファ３３の同相入力端に接続する。更にバッファ３３の出力Ｓ６はバッファ３３の逆相入力端に接続され帰還回路を構成している（バッファ３３はボルテージフォロワ構成とされ、出力端からは同相入力端電圧と同じ電圧が出力される）。従ってバッファ３３の出力Ｓ６は入力Ｓ４とＳ５の中間電圧値となり、図５の（Ｇ）に示す波形となる。さらに、抵抗３１と３２を可変できるようにすることで、出力Ｓ６の電圧値を上側や下側にシフトさせて中間電圧値を微調整する構成としてもよい。中間電圧点作成回路１０の出力Ｓ６はコンパレータ入力電圧選択回路１１へ入力される。
【００３４】
図３は、コンパレータ入力電圧選択回路１１の回路構成の一例を示す図であり、２通りの回路構成の例が示されている。
【００３５】
図３（Ａ）に示す例では、中間電圧点作成回路１０の出力Ｓ６とＤＣ１の基準電圧値を持つ電圧バイアスＶ１をＮＰＮトランジスタ４１、４２のベースに差動入力することで、高い電圧値の方のＮＰＮトランジスタに電流源４３で作成した電流Ｉが流れる。そしてＮＰＮトランジスタ４１、４２のコレクタ同士を接続し、そこにＰチャネルＭＯＳトランジスタ４４と４５からなるカレントミラー回路を接続することで、ＮＰＮトランジスタ４６にも同じ電流Ｉが流れる。なお、ＶＣＣは電源電圧である。
【００３６】
ＮＰＮトランジスタ４１、４２のうち高い電圧値を入力にしているトランジスタと、ＮＰＮトランジスタ４６には同じ電流Ｉが流れ（同じベース・エミッタ間電圧Ｖｂｅ電圧を持つ）、更にＮＰＮトランジスタ４１、４２、４６のエミッタ同士を共通接続し、ＮＰＮトランジスタ４６のベースとコレクタを接続することによって、入力Ｓ６、Ｖ１のうち高い値と、出力Ｓ７は同じ電圧になる。
【００３７】
図３（Ｂ）に示す例では、コンパレータ入力電圧選択回路１１の入力Ｓ６をコンパレータ４７の同相入力端に接続し、入力Ｖ１をコンパレータ４７の逆相入力端に接続する。図３（Ｃ）は、図３（Ｂ）の回路のスイッチの開閉動作を表で示したものである。そして、コンパレータ４７の出力値がＨｉｇｈレベルの場合（Ｓ６＞Ｖ１）、スイッチ４８をＯＮとし、スイッチ４９をＯＦＦとし、一方、コンパレータ４７の出力値がＬｏｗレベルの場合（Ｓ６＜Ｖ１）、スイッチ４８をＯＦＦとし、スイッチ４９をＯＮとすることで、Ｓ６とＶ１のうち高い値が、出力Ｓ７に出力される。
【００３８】
通常は、Ｓ６＞Ｖ１となるように、基準電圧バイアスＶ１を設定しているため、出力Ｓ７の波形は、図５の（Ｇ）の波形となる。つまり通常の場合、従来の構成と、同じコンパレート点（比較電圧）を持つ。
【００３９】
ここで、基準電圧バイアスＶ１の値ＤＣ１は、基準電圧バイアスＶ２の値ＤＣ２より若干高めにしておく。具体的には、引算器７の出力Ｓ３の振幅値が１Ｖであれば１／１０の１００ｍＶほどＤＣ２より高い電圧に設定しておくことが望ましく、引算器７の出力Ｓ３を外部ピンに出しＩＣ外部からモニタできるようにすれば、より精度良く値を設定することができる。
【００４０】
更に、基準電圧バイアスＶ１の供給の仕方として、デジタルアナログ変換器により与える構成、あるいは外部ピンから与える構成としてもよい。
【００４１】
コンパレータ入力電圧選択回路１１の出力Ｓ７をコンパレータ１２の同相入力端に接続し、引算器７の出力Ｓ３をコンパレータ１２の逆相入力端に接続することによって、コンパレータ１２からは、ミラー信号Ｓ８として、図５の（Ｈ）に示すような信号波形が得られる。そして、このミラー信号Ｓ８の信号波形は、前述した従来の構成（図８参照）と同じ出力波形となる。
【００４２】
本発明の一実施例は、コンパレータ入力電圧選択回路１１を備えており、ＲＦ信号が無くなり入力ＲＦＩＮの振幅がほぼ０になった場合（この状態を「無信号」という）、ミラー部の誤検出を無くすことができる。
【００４３】
入力ＲＦ信号が無信号になった場合の、本実施例の波形出力を図６に示し、比較例として、従来の回路構成（図８）の波形出力を図７に示す。
【００４４】
まず、入力ＲＦ信号ＲＦＩＮが無信号の場合、ＲＦ信号がある場合に比べ、入力信号が十分小さいため、無視されていたノイズ信号などの影響がＲＦＩＮ信号の振幅値の大半を占め、ノイズ成分による振幅値を持つ。そのため、引算器７の出力Ｓ３も振幅値を持ち、図７の（Ｄ）、図６の（Ｄ）に示す波形となる。
【００４５】
更に、引算器７の出力は、第２ピーク検波回路８と第２ボトム検波回路９の入力となるため、第２ピーク検波回路８と第２ボトム検波回路は、図７の（Ｅ）、（Ｆ）、図６の（Ｅ）、（Ｆ）に示す波形となる出力Ｓ４、Ｓ５を出力する。
【００４６】
そして第２ピーク検波回路８と第２ボトム検波回路９の出力Ｓ４、Ｓ５は中間電圧点作成回路１０の入力となり、図７の（Ｇ）、図６の（Ｇ）に示す波形となる出力Ｓ６を出力する。
【００４７】
従来の回路構成（図８参照）では、その後、中間電圧点作成回路１０の出力Ｓ６、つまり図７の（Ｇ）と引算器７の出力Ｓ３、つまり図７の（Ｄ）を比較するため、図７の（Ｈ）のように、本来ミラー部ではない部分を、ミラー部であると出力する誤検出が多い。
【００４８】
これに対して、本実施例では、コンパレータ入力電圧選択回路１１を備えており、ＲＦ信号が無信号時には、第２ピーク検波回路８の出力Ｓ４以上の基準電圧値ＤＣ１を与えることで、コンパレータ１２の出力であるミラー信号Ｓ８は、図６の（Ｈ）のように、ずっとＬｏｗレベルとされており、ミラー部の誤検出を無くすことができる。
【００４９】
また、引算器７の出力Ｓ３を基準電圧バイアスＶ２の値ＤＣ２に重畳しているため、基準電圧バイアスＶ１の値ＤＣ１は、基準電圧バイアス値Ｖ２の値ＤＣ２より、ノイズ信号のピーク値分だけ高めに設定すれば良い。具体的には、前述した通り、引算器７の出力Ｓ３の振幅値が１Ｖであれば、その１／１０の１００ｍＶほど高い電圧に設定しておけばよい。
【００５０】
次に、本発明の他の実施例について説明する。図４（Ａ）及び図４（Ｂ）は、本発明の第２、第３の実施例の構成を示す図である。図４（Ａ）を参照すると、本発明の第２の実施例は、図１に示した前記実施例の構成から、抵抗３、４、５、６と、基準電圧バイアスＶ２を取り除いたものである。この場合、基準電圧バイアスＶ１の値ＤＣ１を設定する基準が無くなるが、引算器７の出力をモニタして、基準電圧バイアスＶ１の値ＤＣ１の値を適宜決定することにより、図１に示した前記実施例と同等に動作することができる。
【００５１】
また図４（Ｂ）を参照すると、本発明の第３の実施例は、図１に示した前記第１の実施例から第２ボトム検波回路９を取り除き、中間電圧点作成回路１０の入力を、第２ピーク検波回路８の出力と基準電圧バイアスＶ２の値ＤＣ２としたものである。この第３の実施例では、第２ボトム検波回路９が存在しないため、中間電圧点作成回路１０は、中間電圧値を正確に出力することはできないが、コンパレータ入力電圧選択回路１１と基準電圧バイアスＶ１が設けられており、中間電圧点作成回路１０に入力される基準電圧バイアスＶ２の値を調整することによって、精度は若干落ちるものの、中間電圧値を選択することができるため、図１に示した前記実施例とほぼ同等に動作することができる。
【００５２】
【発明の効果】
以上説明したように、本発明によれば、再生ＲＦ信号が無信号時には、コンパレータから出力されるミラー信号は一定レベルとされ、ミラー部の誤検出を無くすことができる、という効果を奏する。
【００５３】
その理由は、本発明においては、中間電圧点作成回路と、コンパレータとの間にコンパレータ入力電圧選択回路を備え、中間電圧点作成回路の出力と、基準電圧バイアスの値のうち高い値を出力してコンパレータに比較電圧として供給する構成としたためである。
【図面の簡単な説明】
【図１】本発明の一実施例の構成を示す図である。
【図２】本発明の一実施例の中間電圧作成回路の構成を示す図である。
【図３】本発明の一実施例のコンパレータ入力電圧選択回路の構成を示す図である。
【図４】本発明の他の実施例の構成を示す図である。
【図５】本発明の一実施例の通常時の動作を示す信号波形図である。
【図６】本発明の一実施例の入力無信号時の動作を示す信号波形図である。
【図７】比較例として、図８のミラー検出回路の入力無信号時の動作を示す信号波形図である。
【図８】従来のミラー検出回路の構成を示す図である。
【図９】図８のミラー検出回路の通常時の動作を示す信号波形図である。
【符号の説明】
１  第１ピーク検波回路
２  第１ボトム検波回路
３、４、５、６  抵抗
７  比較器
８  第２ピーク検波回路
９  第２ボトム検波回路
１０  中間電圧点作成回路
１１  コンパレータ入力電圧選択回路
１２  コンパレータ
４１、４２、４６  ＮＰＮトランジスタ
４３  定電流源
４４、４５  ＰＮＰトランジスタ
４７  コンパレータ
４８、４９  スイッチ
【図１】
0004377046.tif 000002
【図２】
0004377046.tif 000003
【図３】
0004377046.tif 000004
【図４】
0004377046.tif 000005
【図５】
0004377046.tif 000006
【図６】
0004377046.tif 000007
【図７】
0004377046.tif 000008
【図８】
0004377046.tif 000009
【図９】
0004377046.tif 000010